(57)【要約】【課題】サッシの上枠を利用して植木鉢を安定した状態で、又ドライバー等の工具を使用することなく着脱も容易な状態で、手軽に吊下げることができるようにする。【解決手段】垂直片部１の上端を内側に鈎形に屈曲してサッシの上枠２の起立片２ａに引っ掛けるためのフック部１ａに形成する。垂直片部１の下端に、上記のフック部１ａの側に返すと共に上端部５ａをサッシの上枠２の下面２ｂ又はこの下面２ｂに連なる室内側の天井面に当接する突っ支い部５を接続する。上記の垂直片部１と突っ支い部５との接続部８に、植木鉢４を懸吊するためのフック６の引っ掛け部７を形成する。【選択図】      図１
2004305611.tif 000002
【特許請求の範囲】
【請求項１】
垂直片部の上端が内側に鈎形に屈曲されてサッシの上枠の起立片に引っ掛けるためのフック部に形成され、垂直片部の下端に、上記のフック部の側に返されると共に上端部がサッシの上枠の下面又はこの下面に連なる室内側の天井面に当接する突っ支い部が接続され、上記の垂直片部と突っ支い部との接続部に、植木鉢を懸吊するためのフックの引っ掛け部が形成されていることを特徴とする植木鉢吊下げ具。
【請求項２】
請求項１記載の植木鉢吊下げ具であって、突っ支い部が、垂直片部の内側に返されて垂直片部と鋭角をなす傾斜片部と、この傾斜片部の上部に垂直片部と平行状に接続されている立上げ片部とで形成されていることを特徴とする植木鉢吊下げ具。
【請求項３】
請求項２記載の植木鉢吊下げ具であって、立上げ片部の上端部が、立上げ片部の立上げ方向と直交する方向に屈曲されて板片状に形成されていることを特徴とする植木鉢吊下げ具。
【請求項４】
請求項１乃至３の何れかに記載の植木鉢吊下げ具であって、引っ掛け部が開口状に形成されていることを特徴とする植木鉢吊下げ具。
【請求項５】
請求項１乃至３の何れかに記載の植木鉢吊下げ具であって、引っ掛け部が、垂直片部と突っ支い部との接続部に形成されているのに代え、垂直片部の下部に開口状に形成されていることを特徴とする植木鉢吊下げ具。
【発明の詳細な説明】
【０００１】
【発明の属する技術分野】
本発明は、植木鉢吊下げ具に関し、更に詳しくは例えば浴室等においてサッシの上枠を利用して植木鉢を吊下げることができるよう形成した植木鉢吊下げ具に関するものである。
【０００２】
【従来の技術】
従来、植木鉢の吊下げ具としては、例えば上部を鈎形に形成し、下部に鉢載せ板と鉢の固定具を取り付けてなるものや（例えば特許文献１参照）、或いは線材で上部フック体と、下部フック体とを形成し、上部フック体の下部と下部フック体の上部とを回動自在に連結し、フック体の向きを自由に可変できるよう形成しているものがある（例えば特許文献２参照）。
【０００３】
【特許文献１】
特開平８ー１１２１７６号公報
【特許文献２】
特許第３０９７９９６号公報
【０００４】
【発明が解決しようとする課題】
ところで例えば出窓付き浴室の場合は、出窓に面するカウンターに観葉植物等の植木鉢を置き、植物を利用して入浴環境が、安らぎや癒しのあるものになるよう工夫することが多い。ただこの場合は、植木鉢越しに、引き戸等の開閉操作を行なう必要がある。従って従来、カウンターに植木鉢を載置すると、植木鉢が窓の開け閉めの支障になる、という問題があった。
而して例えば出窓用のサッシは、出窓部分の天井部と、この天井部より室内側の浴室天井部との間に、出窓用サッシの上枠が配置され、この種の上枠には窓側に起立片が形成されていることが多い。
そこで従来、この種の上枠の起立片を利用して手軽に、しかも植木鉢を安定した状態で吊下げできる吊下げ具の出現が望まれていた。
【０００５】
本発明は、このような従来の実情に鑑み、提案されたものである。
従って本発明の技術的課題は、サッシの上枠を利用して植木鉢を安定した状態で、又ドライバー等の工具を使用することなく着脱も容易な状態で、植木鉢を手軽に吊下げできるよう形成した植木鉢吊下げ具を提供することにある。
【０００６】
【課題を解決するための手段】
本発明は、上記の課題を解決するために、次のような技術的手段を採る。
【０００７】
即ち本発明は、図１等に示されるように、垂直片部１の上端が内側に鈎形に屈曲されてサッシの上枠２の起立片２ａに引っ掛けるためのフック部１ａに形成され、垂直片部１の下端に、上記のフック部１ａの側に返されると共に上端部５ａがサッシの上枠２の下面２ｂ又はこの下面２ｂに連なる室内側の天井面に当接する突っ支い部５が接続され、上記の垂直片部１と突っ支い部５との接続部８に、植木鉢４を懸吊するためのフック６の引っ掛け部７が形成されていることを特徴とする（請求項１）。
【０００８】
この場合本発明品は、簡単に製造できることから、垂直片部１や突っ支い部５を、金属板を折り曲げることで形作るのが好ましいが、これに限定されるものではない。即ち本発明品は、例えば垂直片部１や突っ支い部５を別個に形成し、これらを溶接等の手段で接続して形成するのでも良い。又この場合、垂直片部１や突っ支い部５は、一枚の板状である場合には限られず、例えば金属の棒材や金属の細板を連結することで形成するのでも良い。
【０００９】
而して本発明の場合、上記の突っ支い部５は、図示されるように、垂直片部１の内側に返されて垂直片部１と鋭角をなす傾斜片部５１と、この傾斜片部５１の上部に垂直片部１と平行状に接続されている立上げ片部５２とで形成されているのが良い（請求項２）。
【００１０】
この場合は、上枠２との一体感が高まり、又植木鉢４の荷重をスムーズに無駄なく上枠２の下面２ｂ等に伝達できるからである。
【００１１】
又この本発明の場合、突っ支い部５の上端部５ａである立上げ片部５２の上端部が、立上げ片部５２の立上げ方向と直交する方向に屈曲されて板片状に形成されているのでも良い（請求項３）。
【００１２】
なぜならこれによると、サッシの上枠２の下面２ｂ等に、立上げ片部５２の上端部を面接触させることができ、より安定した姿勢で、且つ上枠２の下面２ｂ等に傷を付けることなく本発明品を取り付けることができるからである。
【００１３】
又本発明は、図１、図２等に示されるように、引っ掛け部７が開口状に形成されているのが好ましい（請求項４）。
【００１４】
なぜならこれによると、引っ掛け部７を鉤形等に形成するのに比べ、簡単、容易に、且つ低コストで引っ掛け部７を形成できるからである。
【００１５】
更に本発明は、引っ掛け部７が、垂直片部１と突っ支い部５との接続部８に形成されているのに代え、図７、図８に示されるように、垂直片部１の下部に開口状に形成されているのでも良い（請求項５）。
【００１６】
この場合は、引っ掛け部７の開口にフック６を引っ掛けたとき、植木鉢４の荷重が垂直片部１の外側（窓側）になり易いから、突っ支い部５の上端部５ａを上枠２の下面２ｂ等に押し当て易く、又本発明品を下方から見たとき、引っ掛け部７の開口が目に付きにくくなるものである。
【００１７】
【発明の実施の形態】
以下、本発明の好適な一実施形態を添付図面に従って説明する。
【００１８】
図１等において、１は、垂直片部である。この垂直片部１は、その上端が内側に鈎形に屈曲されてサッシの上枠２の起立片２ａに引っ掛けるためのフック部１ａに形成されている。サッシは、図４に示されるように、出窓サッシである。この実施形態は、浴室３の出窓サッシの上枠２に本発明品を取り付け、植木鉢４を懸吊している例である。
【００１９】
又上記の垂直片部１は、その下端に、上記のフック部１ａの側に返されると共に上端部５ａがサッシの上枠２の下面２ｂに当接する突っ支い部５が接続されている。この突っ支い部５は、この実施形態では垂直片部１の内側に返されて垂直片部１と鋭角をなす傾斜片部５１と、この傾斜片部５１の上部に垂直片部１と平行状に接続されている立上げ片部５２とで形成されている。
【００２０】
又突っ支い部５の上端部５ａとしての立上げ片部５２の上端部は、この実施形態では立上げ片部５２の立上げ方向と直交する方向である内方に屈曲状に形成され、サッシの上枠２の下面２ｂと面接触するよう、板片状に形成されている。なおこの実施形態の本発明品は、サッシの上枠２との一体感を得られるよう、サッシと同一の、例えばアルミ合金の一枚の金属板が折り曲げられ、両側面が開放状に形成されている。
【００２１】
６は植木鉢４を懸吊するためのフックであり、７はこのフック６の引っ掛け部である。この引っ掛け部７は、上記の垂直片部１と、突っ支い部５を形成する傾斜片部５１との接続部８に、開口状に形成されている。なお９は、出窓の上面を形成する天井パネルであり、１０はサッシの上枠２を天井パネル９に固定するためのネジである。
【００２２】
次に本発明品の使用例を説明する。
【００２３】
本発明品は、サッシの上枠２の起立片２ａに垂直片部１のフック部１ａを引っ掛け、図３、図４等に示されるように、例えば側方の開口面から引っ掛け部７にフック６を引っ掛け、このフック６に植木鉢４を吊るして使用する。引っ掛け部７にフック６が引っ掛けられると、植木鉢４の荷重が、起立片２ａの位置より外寄りにかかる。従ってこの植木鉢４の荷重が、フック部１ａの引っ掛かり箇所を中心に、図１において、突っ支い部５の上端部５ａを反時計方向に回動させるよう作用する。これにより本発明品は、突っ支い部５の上端部５ａが上枠２の下面２ｂに押し当てられ、上枠２の下面２ｂに安定した状態で取り付けられるものである。
【００２４】
以上の処において、本発明の場合、突っ支い部５は例えば湾曲状等に形成されているのでも良い。又突っ支い部５の上端部５ａである立上げ片部５２の上端部は、図５、図６に示されるように、室内側に屈曲されるのでも良く、要は立上げ片部５２の立上げ方向と直交する方向であれば良い。又本発明は、突っ支い部５の上端部５ａが、図７に示されるように、屈曲されることなく、上枠２の下面２ｂに当接するよう形成されるのでも良い。
【００２５】
又上例では、突っ支い部５の上端部５ａが上枠２の下面２ｂに当接しているが、本発明はこれに限定されるものではなく、図６に示されるように、上枠２の下面２ｂに連なる室内側の天井パネル９等の天井面に当接するよう形成されるのでも良い。又この場合は、突っ支い部５の上端部５ａと天井パネル９の天井面との間にスペーサ１１が配置されるのでも良い。
【００２６】
又本発明の場合、上記の引っ掛け部７は、図７、図８に示されるように、垂直片部１の下部に開口状に形成されているのでも良い。この場合はフック６を介して植木鉢４の荷重が、起立片２ａの位置より、一層外寄りにかかるため、突っ支い部５の上端部５ａを上枠２の下面２ｂに押し当てる力が強まり、本発明品をより堅固に上枠２の下面２ｂ等に取り付けることができる。
【００２７】
【発明の効果】
以上説明したように本発明は、垂直片部の上端を内側に鈎形に屈曲してサッシの上枠の起立片に引っ掛けるためのフック部に形成し、垂直片部の下端に、上記のフック部の側に返すと共に上端部がサッシの上枠の下面又はこの下面に連なる室内側の天井面に当接する突っ支い部を形成し、上記の垂直片部と突っ支い部との接続部に、植木鉢を懸吊するためのフックの引っ掛け部を形成しているものである。
【００２８】
従って本発明品の場合は、植木鉢の荷重を利用して突っ支い部を上枠の下面等に押し当て安定した状態で吊下げできる。又本発明品によると、ドライバー等の工具を使用することなく、好みの位置に簡単、迅速に取り付けでき、位置変更も簡単にできる。
【図面の簡単な説明】
【図１】本発明の吊下げ具の好適な一実施形態を示す使用状態時の要部縦断面図である。
【図２】同上吊下げ具の斜視図である。
【図３】同上吊下げ具の使用状態時の要部斜視図である。
【図４】同上吊下げ具の使用状態時の要部斜視図である。
【図５】同上吊下げ具の他の実施形態を示す使用状態時の要部縦断面図である。
【図６】同上吊下げ具の他の実施形態を示す使用状態時の要部縦断面図である。
【図７】同上吊下げ具の更に他の実施形態を示す使用状態時の要部縦断面図である。
【図８】図７に示す本発明品の斜視図である。
【符号の説明】
１    垂直片部
１ａ  フック部
２    上枠
２ａ  起立片
２ｂ  下面
４    植木鉢
５    突っ支い部
５ａ  上端部
６    フック
７    引っ掛け部
８    接続部
【図１】
2004305611.tif 000003
【図２】
2004305611.tif 000004
【図３】
2004305611.tif 000005
【図４】
2004305611.tif 000006
【図５】
2004305611.tif 000007
【図６】
2004305611.tif 000008
【図７】
2004305611.tif 000009
【図８】
2004305611.tif 000010